(57)【要約】【課題】  本発明は、別途外観とストロボユニットとの隙間調整機構を設けることなく隙間の一定のストロボユニットを実現することができる。【解決手段】  本発明によれば、係止部材の位置がストロボユニットの回転中心から遠く、ストロボユニット先端付近に配置できるようになるため、外観部品との隙間の不均一感がなくなる。このため、生産工場での調整工程も不要となる。更に、操作部材であるボタンとストロボユニットの付勢力解除のための部材を一体的に構成することができるので部品点数の減少やコストダウンが図ることができる。【選択図】  図１
2005321563.tif 000002
【特許請求の範囲】
【請求項１】
ストロボ発光部を含む可動部材と、該可動部材をカメラ本体に対して所定の軸を中心に回動可能に支持し、該回動により前記可動部材が収納待機位置から所望の発光位置に移動できるようにした支持部材と、前記可動部材を発光位置側に付勢する付勢部材と、前記可動部材内に実装されている発光部材および電気実装部品と、前記カメラ本体内に実装されている制御回路とを備え、前記付勢部材の付勢力に抗して収納待機位置に係止しておく係止状態と、該係止状態を解除する解除状態とに駆動部材により移動可能な爪部を有する係止解除部材とを備えたストロボ内蔵カメラにおいて、
前記係止解除部材が、レンズ着脱のためのマウント部よりカメラ正面から見て上方でペンタ部より光軸方向前方に配置され、係止状態から解除状態への変化でカメラの左右方向にスライド可能に構成されたことを特徴とするストロボ内蔵カメラ。
【請求項２】
前記係止解除部材を駆動する駆動部材はモータであり、該モータの出力軸がカメラの上下方向に平行に配置され、かつ前記マウント部より光軸方向後方に配置されていることを特徴とする請求項１記載のストロボ内蔵カメラ。
【請求項３】
前記係止解除部材の一部分をカメラの外観部材から突出せしめ、ストロボポップアップ操作を行なう際の部材としたことを特徴とする請求項１記載のストロボ内蔵カメラ。
【発明の詳細な説明】
【技術分野】
【０００１】
本発明は、使用状態と非使用状態とで所定の軸を中心に回動するストロボ内蔵カメラに関するものである。特に、発光位置側に付勢する付勢部材の付勢力に抗して収納待機位置に係止しておく係止状態と，該係止を解除する解除状態とに移動可能な爪部を有するストロボのポップアップ機構に関するものである。
【背景技術】
【０００２】
従来、この種のストロボ内蔵カメラのポップアップ機構としては、特開平１０−０３９３７４号に記載されているように、引っ張りバネの力に抗してプランジャ−を駆動して、係止手段を解除するように構成されているものがある。
【特許文献１】特開平１０−０３９３７４号公報
【発明の開示】
【発明が解決しようとする課題】
【０００３】
上記従来例の場合、プランジャ−の配置の制約から係止部材の位置がストロボユニットの回転中心近傍にしか配置できないため、ストロボユニットの先端付近では外観部品との隙間が不均一となり、別途隙間調整機構を追加する必要があった。このため生産工場での調整工程が発生し、その分コストがかさむという欠点があった。
【０００４】
また、プランジャ−の駆動力だけで係止部材を駆動しようとすると、プランジャ−を大型にせざるを得なくなりカメラの小型化を阻害していた。また、小型のプランジャ−を使用する場合には、駆動力を補助するバネが必要となり、部品点数が増え調整工程が複雑化するという欠点があった。
【０００５】
（発明の目的）
本発明によれば、係止解除部材の係止爪が、ストロボユニットの回転中心から最も離れた位置に配置できるため、別途外観とストロボユニットとの隙間調整機構を設けることなく隙間の一定のストロボユニットを実現することができる。
【課題を解決するための手段】
【０００６】
本発明は、ストロボ発光部を含む可動部材と、該可動部材をカメラ本体に対して所定の軸を中心に回動可能に支持し、該回動により前記可動部材が収納待機位置から所望の発光位置に移動できるようにした支持部材と、前記可動部材を発光位置側に付勢する付勢部材と、前記可動部材内に実装されている発光部材および電気実装部品と、前記カメラ本体内に実装されている制御回路とを備え、前記付勢部材の付勢力に抗して収納待機位置に係止しておく係止状態と、該係止状態を解除する解除状態とに駆動部材により移動可能な爪部を有する係止解除部材とを備えたストロボ内蔵カメラにおいて、
前記係止解除部材が、レンズ着脱のためのマウント部よりカメラ正面から見て上方でペンタ部より光軸方向前方に配置され、係止状態から解除状態への変化でカメラの左右方向にスライド可能に構成されたことを特徴とするものである。
【発明の効果】
【０００７】
本発明によれば、係止部材の位置がストロボユニットの回転中心から遠く、ストロボユニット先端付近に配置できるようになるため、外観部品との隙間の不均一感がなくなり、別途隙間調整機構を追加する必要もなくなる。このため、生産工場での調整工程も不要となり、コストダウンを図ることができる。
【０００８】
また、関連部品点数が減るため、コストが下がりカメラの小型化も実現できる。
【０００９】
更に、ストロボユニットの回転角度を大きくし、ストロボ照射範囲を改善し、レンズによるストロボ光のけられを防止することができる。また、被写体の眼球が赤く光る所謂赤目現象を緩和するため、ストロボ発光部の高さを高くしようとする場合には、従来のようにトグルバネを反転させるためのカム機構を使用する必要がなくなり、設計の自由度が向上する。
【００１０】
更に、操作部材であるボタンとストロボユニットの付勢力解除のための部材を一体に構成することができるので、部品点数の減少やコストダウンが図ることができる。
【発明を実施するための最良の形態】
【００１１】
以下、本発明の実施例について説明する。
【実施例】
【００１２】
図１は本発明の特徴を最もよく表す斜視図であり、図２は本発明の係止解除機構を用いたカメラの外観斜視図である。図３は図１の中から主要構成部品を抜粋した図、図４はストロボ発光部ユニットの外観部品をはずした側面図、図５は図３の部分拡大斜視図である。
【００１３】
１は駆動源であるところのモ−タで出力軸１ａがカメラの上下方向に平行になるように配置されている。２および３は減速機構であるところのギヤ列、１１は該ギヤ列２，３からの出力の一方向回転の出力を伝達する回転軸である。１２は該回転軸１１と同軸上に配置され、該回転軸１１と摺動可能に保持され、該回転軸１１の回転中心とは異なる中心に軸を有する偏心ピン１２ａを一体に形成された駆動筒である。１３は前記回転軸１１および前記駆動筒１２との間に貫入されたト−ションバネ、１４はストロボユニットを発光位置側に付勢する付勢手段であるところのト−ションバネである。１５は、前記付勢手段１４の付勢力に抗して後述のストロボ発光部を、収納待機位置に係止しておく係止状態と，該係止を解除する解除状態とに移動可能な爪部１５ｂを有する係止解除手段であるところのフックレバ−で、外観部品から外方へと突出しているボタン部１５ａを一体的に備えている。該フックレバ−１５は、圧縮バネ２２により図３の右方向すなわちボタン部１５ａが外観から突出する方向に付勢されている。２４は、前記回転軸１１および駆動筒１２およびト−ションバネ１３を保持するための押さえ板であり、前板２１に不図示のビスにより固着されている。１６は撮影レンズを着脱可能に保持するためのマウント部、１７は撮影レンズからの光をファインダへ導くためのＥ面ミラ−、１８は同様のペンタミラ−である。１９はストロボ光を拡散させる発光パネル、３１は発光部であるところのキセノン管、３２は該キセノン管３１からの光を反射させる反射笠、３４は前記発光パネル１９および実装素子３３を固着されたケ−スで、枢軸であるところのビス２３で回動可能に保持されている。２０は前記ケ−スにビス止め固定され、外観を構成するストロボカバ−、２１は前記マウント部１６および前記モ−タ１および前記減速機構２、３を保持する前板である。
【００１４】
本図ではモ−タ１からの減速作用を平歯ギヤであるギヤ列２、３で行っているが、ギヤ段数を増やしたり、また異なる減速機構を用いても、本発明の実施態様には変更がない。本発明の構成ではモ−タ出力の１方向回転のみを用いるため、もう一方の回転出力をミラ−の駆動等に用いてもよい。
【００１５】
上記構成により不図示のカメラの中央処理装置であるＣＰＵからの命令によりモ−タ１に一定の電圧がかけられると、前記ギヤ列２，３を介して前記回転軸１１が一定方向に回転する。フリクションバネであるト−ションバネ１３の摩擦力により駆動筒１２も同方向に回転する。該駆動筒１２に一体に形成された偏心ピン１２ａが貫入しているフックレバ−１５の腕部は圧縮バネ２２の付勢力に抗して引っ張られる。この動作によりストロボユニットは付勢バネ１４の力により発光位置まで持ち上がり停止する。
【００１６】
以上のような構成により、カメラ側が自動でストロボをポップアップさせる場合には一定時間モ−タを位置方向に回転させるだけでストロボユニットは発光位置まで上昇する。また、撮影者が自分の意志でストロボをポップアップさせたいときには、フックレバ−と一体に形成されたボタン１５ａを押すことで前記同様にストロボユニットをポップアップさせることができる。
【００１７】
更に、モ−タを駆動中に撮影者が誤ってフックレバ−の爪部１５ｂを押さえてしまっても、ト−ションバネ１３が逃げることでギヤ列２，３を破壊するのを防ぐことができる。
【図面の簡単な説明】
【００１８】
【図１】本発明の特徴を最もよく表す係止解除機構の斜視図である。
【図２】本発明の係止解除機構を用いたカメラの外観斜視図である。
【図３】図１の中から主要構成部品を抜粋した図である。
【図４】ストロボ発光部ユニットの外観部品をはずした側面図である。
【図５】図３の部分拡大斜視図である。
【符号の説明】
【００１９】
１  モ−タ
１１  回転軸
１２  駆動筒
１３  ト−ションバネ
１４  付勢部材（トーションバネ）
１５  フックレバ−
１９  発光パネル
２０  ストロボカバ−
２１  前板
２２  圧縮バネ
２３  枢軸（ビス）
３１  キセノン管
３２  反射笠
３３  実装素子
【図１】
2005321563.tif 000003
【図２】
2005321563.tif 000004
【図３】
2005321563.tif 000005
【図４】
2005321563.tif 000006
【図５】
2005321563.tif 000007